(57)【要約】【課題】角氷製氷時の氷塊をブロック氷に切断するに当って氷塊の中心線に対して直角方向に切断方向を設定し、かつ迅速に切断操作を行うことのできる氷塊切断装置および切断方法を提供する。【解決手段】氷塊１０を搬送するエンドレス搬送体２と、エンドレス搬送体２の搬送方向に切断方向が設定され、かつ間隔をあけて並列にして配置され、刃部８が氷塊の高さ方向にある複数の丸鋸４を有する氷切断機３と、エンドレス搬送体２の上側に配置され、丸鋸４が通る溝部を有し、かつ氷塊１０を搬送方向に対して傾斜配置させる傾斜面を有する氷塊載せ台板５とを備え、以って氷塊を一方向からいくつかのブロック氷に切断する。【選択図】  図１
2005024164.tif 000002
【特許請求の範囲】
【請求項１】
エンドレスに回動する回動体と、該回動体に固定された押し体と、回動体の上側に固定して設けられた氷塊載せ台板とを有して氷塊を搬送するエンドレス搬送体が構成され、該エンドレス搬送体の搬送方向に切断方向が設定され、かつ間隔をあけて並列にして配置され、刃部が氷塊の高さ方向にある複数の丸鋸を有する氷切断機が構成され、前記氷塊載せ台板は、傾斜載置された氷塊を傾斜方向と逆方向に配設する氷塊を搬送方向に傾斜面を有し、以って氷塊を一方向からいくつかのブロック氷に切断することを特徴とする氷塊切断装置。
【請求項２】
請求項１において、前記氷塊載せ台板には前記氷塊に対する押し体が通過する逃がし部が形成されていることを特徴とする氷塊切断装置。
【請求項３】
エンドレスに回動する回動体と、該回動体に固定された押し体と、回動体の上側に固定して設けられた氷塊載せ台板とを有して氷塊を搬送するエンドレス搬送体を備え、氷塊載せ台板が備える傾斜面によって氷塊を搬送方向に対して直角方向に配設させて氷塊の姿勢を水平方向に移行させ、間隔をあけて並列して配置され、刃部が氷塊の高さ方向の全体に亘る複数の丸鋸によって姿勢が水平方向に移行した氷塊を一方向からいくつかのブロック氷に切断することを特徴とする氷塊切断方法。
【発明の詳細な説明】
【０００１】
【発明の属する技術分野】
本発明は、氷塊（氷塊を切断していくつかに分離した場合のブロック氷を含む。）を切断する装置および切断方法に関する。
【０００２】
【従来の技術】
氷はその物理的性質から温度により軟らかくなったり、融けたり、あるいは割れたりする。従って氷塊を切断してプレート氷を製作する場合において、適切な温度下においても、速やかに加工する必要がある。従来、例えば横５４０ｍｍ、縦３５０ｍｍ程度の大型の製氷角氷である氷塊をプレート状に切断する時は、人手により、氷塊を丸形ノコギリの刃を押し当てて切り、一条切断すると再び元に戻って次の条について切断して行く方法が採用されている。
ドライアイスのような比較的小型の氷片を切断するためには、切断機が使用されている。
【０００３】
特許文献１には、モータにて駆動される駆動軸に所定間隔で複数枚の円盤状鋸刃を固定してなる切断機構と、氷塊を載置した状態で前記切断機構の下部位置に挿入することにより、氷塊に切れ目を形成するようにした移動台車と、該移動台車に着脱可能に配設して氷塊に形成する切れ目の深さを調整する調整台とからなり、移動台車の氷塊の載置台及び調整台に、下方に貫通する溝又は透孔を形成した氷塊の切断機が記載されている。
【０００４】
特許文献２には、エンドレス搬送体を有するコンベヤ装置と、該コンベヤ装置の搬送支持面上でこれを横断する方向に伸長された回転軸と、該回転軸に並列に取付けられた複数の丸鋸と、前記コンベヤ装置の搬送支持面の両外側に配設され且つそれぞれ内側へ往復移動が可能に構成されたサイドガード部とを含み、前記コンベヤ装置内の前記エンドレス搬送体は、端面が台形状に形成された上面がドライアイス支持面としての平坦面とされた多数の短冊状支持板をその底面側の側縁が密接する状態で配列し、かつ、間隔をあけて並列配置された少なくとも２つのエンドレス条帯上に跨架して構成され、そして、各隣接する前記短冊状支持板の間には、Ｖ字形の間隙部が形成されているドライアイス切断装置が記載されている。
【０００５】
特許文献３には、間隔をあけて並列に配置された２つのエンドレス搬送体を備えるコンベヤ装置と、前記両エンドレス搬送体間の間隔部に配置され、一部を前記エンドレス搬送体の搬送支持面より上方に突出した第１の丸鋸と、該第１の丸鋸と同一垂直面内で且つ前記エンドレス搬送体の搬送支持面上方に配置された第２の丸鋸と、前記コンベヤ装置の前記各エンドレス搬送体双方の外側部に配設され、それぞれ内側へ往復移動が可能なサイドガード部とを含み、前記コンベヤ装置の前記各エンドレス搬送体は、搬送方向に沿って並列配置された多数の短冊状支持板を備え、前記第１の丸鋸と前記第２の丸鋸は、それらの回転中心位置が前記コンベヤ装置の搬送方向にずれ、かつ、前記第１の丸鋸の最上部の前記エンドレス搬送体の搬送支持面からの高さをｈ１とし、前記第２の丸鋸の最下部の前記搬送支持面からの高さｈ２とするとき、ｈ１≧ｈ２とされ、しかも、搬入されたドライアイスに対し、それぞれ上方から下方へ向けて切り込むように構成されているドライアイス切断装置が記載されている。
【０００６】
【特許文献１】
特開２０００−１２１２２０号公報
【特許文献２】
特開平７−７５８３３号公報
【特許文献３】
特開平７−１６９０９号公報
【０００７】
【発明が解決しようとする課題】
角氷製氷時のアイスカンには氷塊を抜き出すために内壁はテーパ状とされており、従って製氷時の氷塊は側面にテーパのある台形堆形状となっている。そして、この台形堆形状の氷塊は横置とされるため氷塊の中心線は一方側に向かって傾いている。このような状態にある氷塊を直ちに切断することは切断方向が底部方向の面に対して直角方向に設定されることになって氷塊の中心線に対しては直角に切断されないことになる。従って、氷塊の切断線は傾き、次の工程で製作された厚板状のブロック氷を薄板状のプレート氷に更に切断した時に、ブロック氷の端側部は廃棄される量が大きくなって商品化できる量がそれだけ少なくなる。
【０００８】
本発明は、かかる点に鑑み、角氷製氷時の氷塊をブロック氷に切断するに当って氷塊の中心線に対して直角方向に切断方向を設定し、かつ迅速に切断操作を行うことのできる氷塊切断装置および切断方法を提供することを目的とする。
【０００９】
【課題を解決するための手段】
本発明は、エンドレスに回動する回動体と、該回動体に固定された押し体と、回動体の上側に固定して設けられた氷塊載せ台板とを有して氷塊を搬送するエンドレス搬送体が構成され、該エンドレス搬送体の搬送方向に切断方向が設定され、かつ間隔をあけて並列にして配置され、刃部が氷塊の高さ方向にある複数の丸鋸を有する氷切断機が構成され、前記氷塊載せ台板は、傾斜載置された氷塊を傾斜方向と逆方向に配設する氷塊を搬送方向に傾斜面を有し、以って氷塊を一方向からいくつかのブロック氷に切断する特徴とする。
前記氷塊載せ台板には前記氷塊に対する押し体が通過する逃がし部が形成されている。
【００１０】
【発明の実施の形態】
以下、本発明の実施例を図面に基づいて説明する。
図１は本発明の実施例である氷塊切断装置の構成を示し、図２は図１の正面図である。
これらの図において、氷塊切断装置１００は、氷塊１０を搬送するエンドレス搬送体２と、矢印の方向に回転する複数の丸鋸４を備えた氷切断機３と、氷載せ台板５と、およびブロック氷ガイド６を備える。
【００１１】
エンドレス搬送体２は、チェーン駆動部１１、チェーン従動部１２を備え、これらのチェーン駆動部１１とチェーン従動部１２とに掛けられてエンドレスに回動し、回動体となるチェーン１３を備える。
更にエンドレス搬送体２はチェーン１３に固定具８によって固定される複数個の押し体７を有し、各押し体７の設置間隔はチェーン１３上にほぼ等間隔に配設される。押し体７は、氷載せ台板５上に載置する氷塊１０´を丸鋸４方向に押し出す。
【００１２】
氷塊載せ台板５は、後述するように、氷塊１０の搬送方向に対して直角方向に傾斜する面を有し、氷塊１０の低い側を少し立てて氷塊１０の中心線が氷塊の長手方向、すなわち切断方向（搬送方向）に対して一定の高さに、すなわち水平方向になるように保持する機能を有する。
【００１３】
氷塊１０は、押し体７によって氷塊載せ台板５上を辷って搬送されるが、この搬送のために氷塊載せ台板５には搬送方向に複数の、図２に示す例にあっては３個の逃し孔部２１が形成してあり、チェーン１３の操作に従って押し体７は上方に現われ、これらの逃し孔部（スリット）２１を３個の押し体７が貫通し、氷塊１０を押し出し、搬送する。押し体７はチェーン駆動部１１付近の曲り部で逃し孔部２１より下方に曲り移行をして逃れることになる。
氷切断機３は複数の、図２に示す例にあっては２個の搬送方向に切断方向を設定した丸鋸４を備え、各丸鋸は全周に刃部８を有し、中心部に駆動軸９を備える。
【００１４】
氷塊載せ台板５上を押し体７によって搬送されてきた氷塊１０は丸鋸４によって搬送方向に複数個に、図２の例にあっては３個に切断される。この場合に、刃部８は、氷塊の高さ方向の全体に亘るように設定する。このために、氷塊載せ台板５には搬送方向に複数個の、図２に示す例にあっては２個の逃し溝部（溝部）２２が形成してあり、丸鋸４の刃部８の下端部はこれらの逃し溝部２２内を回転移動し、逃れて行く。逃し溝部は逃し孔としてもよい。よって、ここでは逃し部として表現する。
【００１５】
図２に示すように、氷塊１０は氷塊載せ台板５の面に対して中心線２０が平行になるように設定された状態で丸鋸４によって複数個切断されて複数のブロック氷３０が製作され、ブロック氷３０は押し体７によって搬送され、ブロック氷ガイド６によって側方がガイドされる。ブロック氷ガイド６は、側方ガイド部６１とその支持部６２とから構成されている。
【００１６】
図３は、氷塊載せ台板５の機能を示す。図４は、氷塊１０に精製される白濁部３１を示す図である。白濁部３１は横方向において製氷時における白濁部頭部側３２において大きく、白濁部底部側３３において、小さくなる。
製氷時の氷塊１０は図３に示すようにして氷塊載せ台板５上に横置で載置される。角氷製氷時に氷塊１０は白濁部頭部側３２で長さが長く、白濁部底部側３３で長さが多少短くなっている。
【００１７】
氷塊載せ台板５は基部４１と傾斜調整部４２とから構成される。傾斜調整部４２は氷塊１０の白濁部底部側３３が位置する側が上方に持ち上げられており、全体として上側に傾斜角θをなすように形成設定される。傾斜角θは氷塊１０の側面のテーパ角度に対応して設定される。氷塊載せ台板５は、加工物である氷塊１０との摩擦、辷り、温度などの関係から超高分子ポリエステル樹脂を使用することができる。ＳＵＳ材を併用してＳＵＳ材との２層としてもよい。
【００１８】
このように形成された傾斜調整部４２、すなわち氷塊載せ台板５上に氷塊１０を示すようにして配置すると、氷塊１０の中心線２０はほぼ水平となり、垂直配置の丸鋸４に対して９０°に位置し、切断部３４は中心線２０に対してほぼ９０°となる。また白濁部３１から見ても、白濁部３１の中心線（中央部）に対しても切断部３４はほぼ９０°となる。このようにすることによって、次のステップでブロック氷からプレート氷を製作するときに、商品化されるプレート氷の量を多くすることができる。更にステップで白濁部３１を廃棄するに当り、このように切断することによって白濁していない部分の廃棄量を少なくすることになって商品化量を多く確保することができる。
前述したように、氷塊載せ台板５は３本の逃し孔部２１と２本の逃し溝部が形成されている。
【００１９】
図５は角氷製氷時の原料氷である氷塊１０を示し、図６は切断後の一片のブロック氷３０を示す。
図５において原料氷は角氷製氷時に白濁部頭部側で２９０頭面幅×２６５底面幅×５７０高×３（３５０〜３７０）長さを有し、白濁部底部側で５４５高となり、高さ方向において２５ｍｍの差が生じている。この２５ｍｍに対応して傾斜調整部４２の傾斜角が設定される。
【００２０】
図６に示すように、傾斜調整して切断して製作された一片のブロック氷３０は、２９０〜２６５頭面幅×５４５〜５７０高×３５０〜３７０長さの形状となる。
【００２１】
【発明の効果】
本発明によれば、切断に当って移動台車あるいは丸鋸についての戻り操作が無く、一方向搬送、切断が行われて角氷製氷時の氷塊をブロック氷に切断するに当って氷塊の中心線をほぼ水平にして中心線に対して垂直配置の丸鋸を使用して直角方向に切断方向を設定して切断することができ、かつ一度に複数のブロック氷を製作できるので、迅速化を図ることができる。
【図面の簡単な説明】
【図１】本発明の実施例の全体構成を示す構成図。
【図２】図１の正面図。
【図３】氷塊載せ台および白濁部の生成される状態を示す図。
【図４】図３の白濁部の状態を示す図。
【図５】原料氷の大きさを示す図。
【図６】切断され製作された一片のブロック氷の大きさを示す図。
【符号の説明】
２…エンドレス搬送体、３…氷切断機、４…丸鋸、５…氷塊載せ台板、６…ブロック氷ガイド、７…押し体、８…刃部、１０…氷塊、３１…白濁部、３２…白濁部頭部側、３３…白濁部底部側、４１…基部、４２…傾斜調整部、１００…氷塊切断装置。
【図１】
2005024164.tif 000003
【図２】
2005024164.tif 000004
【図３】
2005024164.tif 000005
【図４】
2005024164.tif 000006
【図５】
2005024164.tif 000007
【図６】
2005024164.tif 000008